(57)【要約】【課題】異常温度を検知してロック解除を行うとともに、各部材の組み付け不良を検出し得るように構成したプッシュスイッチを提供すること。【解決手段】ベースハウジンク９に支持壁１７ｂを設けるとともに、その基部Ｘを薄肉に構成する。支持壁１７ｂにより板バネ１３を支持し、板バネ１３によりガイドピン１１をハートカム２１方向に付勢する。異常温度により支持壁１７ｂが溶融して変形すると、板バネ１３が遊動状態になり、ガイドピン１１を付勢できなくなる。この結果、ガイドピン１１とハートカム２１の係合が解除され、スイッチノブ７がノブ用コイルバネ１５の作用によりスイッチオフの位置に移動する。【選択図】図６
2010262822.tif 000002
【特許請求の範囲】
【請求項１】
筒状部を有するハウジングと、
前記筒状部内に摺動自在に装着されるスイッチノブと、
前記スイッチノブをスイッチオフ方向に付勢するとともに、前記スイッチノブが押動操作されたとき前記付勢に抗して前記スイッチノブをスイッチオン方向に摺動させることを許容するノブ用バネと、
前記スイッチノブがスイッチオフ位置で押動操作されたとき、当該スイッチノブをスイッチオン位置に案内するカム機構と、
前記スイッチノブがスイッチオン位置に案内されたとき、前記カム機構に係合して前記スイッチオン位置を保持するガイドピンと、
前記ガイドピンを前記カム機構に付勢する板バネと、
を備えたプッシュスイッチであって、
正常状態において前記板バネを支持し、異常発熱時に溶融して変形し前記板バネを遊動可能にさせることにより、前記板バネによる前記ガイドピンの付勢を解除せしめる支持壁が更に設けられ、
前記異常発熱時における前記支持壁の溶融により、前記スイッチノブのスイッチオン位置における前記ガイドピンによるロックが解除されることを特徴とするプッシュスイッチ。
【請求項２】
前記ハウジングに前記スイッチノブを組み付けた状態で連通する開口部が、前記ハウジング及び前記スイッチノブにそれぞれ設けられ、連通した前記開口部に臨む位置に前記支持壁が設けられていることを特徴とする請求項１に記載のプッシュスイッチ。
【請求項３】
前記支持壁は、熱による溶融を促進するために少なくともその一部が薄肉に形成されていることを特徴とする請求項１又は２に記載のプッシュスイッチ。
【発明の詳細な説明】
【技術分野】
【０００１】
本発明は、スイッチノブの押動操作によってスイッチ回路をオン状態及びオフ状態に切換制御するプッシュスイッチに関するものである。
【背景技術】
【０００２】
図８は従来のプッシュスイッチの一例を示すものであり、下記特許文献１に開示されている。
プッシュスイッチ５１は、樹脂により成形されたハウジング５２内にスイッチノブ５３を摺動自在に装着し、ノブ用コイルバネ５８によりスイッチオフの方向（図の上方）に付勢するとともに、ノブ用コイルバネ５４の反発力に抗してスイッチノブ５３を図の下方に押動することによりスイッチオンに切換えるものである。
【０００３】
即ち、スイッチノブ５３の一部であるカム板５４にはカム溝５５が設けられ、カム溝５５に追従するピン５６の一端５６ａはハウジング５２に取り付けられている。そして、ピン５６の他端に屈曲形成されたピン先端部５６ｂとカム溝５５に形成されたハート形状のハートカム５７との係合によりスイッチノブ５３をスイッチオン状態に保持するようになっている。
【０００４】
一方、ハートカム５７の下方には、ピン先端部５６ｂに係止されてスイッチノブ５３をアンロック状態に固定するアンロック用凹部であるカム溝が設けられている。そして、ピン先端部５６ｂが、ハートカム５７から離脱したときロック解除になってアンロック用凹部に位置決めされ、スイッチノブ５３がノブ用コイルバネ５８により上方に付勢されて元のスイッチオフ位置に復帰する。
【０００５】
また、図９に示すようなプッシュスイッチも提案されている。
このプッシュスイッチ６１は、ベースハウジング６２に図９の上下方向に摺動自在にスイッチノブ６３を装着するとともに、コイルバネ６４によりスイッチオフの方向、即ち上方に付勢するようになっている。
【０００６】
一方、ベースハウジング６２には、スイッチノブ６３に設けられたカム溝６５に追従するガイドピン６６が、板バネ６７と樹脂壁６８とで保持されている。そして、ガイドピン６６と、特許文献１と同様の、カム溝６５に形成されたハートカム６９との係合により、スイッチノブ６３をスイッチオン状態に保持するようになっている。
【先行技術文献】
【特許文献】
【０００７】
【特許文献１】特開平９−１６１６００号公報
【発明の概要】
【発明が解決しようとする課題】
【０００８】
しかし、前記２種のプッシュスイッチは、何れも下記のような問題点を有している。
即ち、プッシュスイッチの使用中において、不測の事態により異常発熱することがあった場合、前記構成にあっては異常発熱を検知してスイッチオフに切換える機能がなく、ハウジング等を構成する樹脂が熱により溶損してしまうことがあった。
また、スイッチのオン／オフ接触不良等があっても、気付かずにそのまま次工程に搬送してしまう、等の問題があった。
【０００９】
本発明の目的は上記課題を解消することに係り、異常な高温になったとき、スイッチノブのオン状態を解除し得るように構成したプッシュスイッチを提供することにある。
【課題を解決するための手段】
【００１０】
本発明の前記目的は、下記構成により達成される。
（１）筒状部を有するハウジングと、
前記筒状部内に摺動自在に装着されるスイッチノブと、
前記スイッチノブをスイッチオフ方向に付勢するとともに、前記スイッチノブが押動操作されたとき前記付勢に抗して前記スイッチノブをスイッチオン方向に摺動させることを許容するノブ用バネと、
前記スイッチノブがスイッチオフ位置で押動操作されたとき、当該スイッチノブをスイッチオン位置に案内するカム機構と、
前記スイッチノブがスイッチオン位置に案内されたとき、前記カム機構に係合して前記スイッチオン位置を保持するガイドピンと、
前記ガイドピンを前記カム機構に付勢する板バネと、
を備えたプッシュスイッチであって、
正常状態において前記板バネを支持し、異常発熱時に溶融して変形し前記板バネを遊動可能にさせることにより、前記板バネによる前記ガイドピンの付勢を解除せしめる支持壁が更に設けられ、
前記異常発熱時における前記支持壁の溶融により、前記スイッチノブのスイッチオン位置における前記ガイドピンによるロックが解除されることを特徴とするプッシュスイッチ。
【００１１】
（２）前記ハウジングに前記スイッチノブを組み付けた状態で連通する開口部が、前記ハウジング及び前記スイッチノブにそれぞれ設けられ、連通した前記開口部に臨む位置に前記支持壁が設けられていることを特徴とする前記（１）に記載のプッシュスイッチ。
【００１２】
（３）前記支持壁は、熱による溶融を促進するために少なくともその一部が薄肉に形成されていることを特徴とする前記（１）又は（２）に記載のプッシュスイッチ。
【００１３】
前記（１）の構成によれば、異常発熱により前記支持壁が溶融するので、前記支持壁により支持されていた前記板バネが遊動状態になる。すると板バネは前記ガイドピンを付勢できなくなり、前記ガイドピンによる前記スイッチノブのロックが解除される。
【００１４】
前記（２）の構成によれば、連通した前記開口部に臨む位置に前記支持壁が設けられているので、溶融した前記支持壁、遊動状態になった前記板バネ、前記板バネによる付勢が解除された前記ガイドピンが、前記開口部内に容易に移動する。
【００１５】
前記（３）の構成によれば、前記支持壁の少なくとも一部が薄肉に形成されているので、異常発熱に対応して速やかに溶融するようになる。
【発明の効果】
【００１６】
本発明によるプッシュスイッチは、異常な高温、例えばハウジングを構成する樹脂材料のガラス転位温度程度になった場合、板バネを支持している支持壁が溶融するので、支持壁により支持されていた板バネがガイドピンを付勢できなくなり、ガイドピンによるスイッチノブのスイッチオン位置におけるロックが解除され、通電が強制的に遮断される。
また、ハウジング等の樹脂材の溶損、発火を防止することができる。
【００１７】
更に、既に異常により支持壁が溶融している場合、スイッチノブをスイッチオン位置にロックすることが不可能であるので、このような不良品のプッシュスイッチが正常部品に混じって製造ラインを流れても、導通検査時に不完全組み付けを検知することができ、不良品の次工程への搬送を阻止できる。
【図面の簡単な説明】
【００１８】
【図１】本発明の実施形態であるプッシュスイッチの構成を示す分解斜視図である。
【図２】プッシュスイッチの構成を示す斜視図である。
【図３】プッシュスイッチの構成を示す一側面図である。
【図４】スイッチノブのスイッチオフ状態を示すプッシュスイッチの側面図である。
【図５】スイッチノブのスイッチオン状態を示すプッシュスイッチの側面図である。
【図６】スイッチノブのスイッチオン状態における図３のＡ−Ａ断面図である。
【図７】スイッチノブのスイッチオン状態におけるロック解除作用を示すプッシュスイッチの断面図である。
【図８】従来のプッシュスイッチの第１例を示す断面図である。
【図９】従来のプッシュスイッチの第２例を示す断面図である。
【発明を実施するための形態】
【００１９】
以下、本発明に係るプッシュスイッチの好適な実施形態について、図面を参照して詳細に説明する。本実施形態は、車両の室内用照明装置におけるプッシュスイッチである。
【００２０】
図１に示すように、本実施形態におけるプッシュスイッチ１は、合成樹脂により成形したハウジング３と、ハウジング３内に設けた筒状部３ａ内に摺動可能に収容される案内筒体５と、案内筒体５内に設けた筒状部５ａ内に摺動可能に収容されるスイッチノブ７等を備えている。
【００２１】
また、ハウジング３内には、図６及び図７に示すようにベースハウジング９が内装されるが、このベースハウジング９には、正常状態でスイッチノブ７をロックするとともに、高熱発生時にロック解除を行うガイドピン１１、更にガイドピン１１を押圧する板バネ１３等が組み付けられる。板バネ１３は、ベースハウジング９に設けた一対の支持壁１７ａ，１７ｂにより支持され、自己の弾性によりガイドピン１１を矢印ａ（図１参照）方向に付勢するためのものである。
【００２２】
そして、図６及び図７に示すように、支持壁１７ａ，１７ｂの基部Ｘは薄肉に形成されているが、常温では板バネ１３の反力によって変形しないようになっている。しかし、異常温度、例えば支持壁１７ａ，１７ｂのガラス転位温度に達した場合は溶融してガイドピン１１とともに、開口部３ｂ，５ｂからハウジング３の外側に倒れ出るようになっている。
【００２３】
なお、スイッチノブ７の下端にはノブ用コイルバネ１５の一端が固定されている。このノブ用コイルバネ１５は、自己の反発力によってスイッチノブ７全体を上方に付勢するためのものであるが、スイッチノブ７を手指によって押すことにより、スイッチノブ７全体を下方に押し下げることができる。そして、ベースハウジング９の略中央部は山形の係止部１９に形成され、ノブ用コイルバネ１５の下端を位置決めするようになっている。
【００２４】
前記ハウジング３の一側面には開口部３ｂが形成され、案内筒部５に開口部５ｂが、スイッチノブ７にも開口部７ｂが形成されている。図２に示すように、ハウジング３に前記各部材を組み付けた状態では、図２、図４、図５等に示すように各開口部３ｂ，５ｂ，７ｂが連通するようになっている。
【００２５】
また、スイッチノブ７に形成された開口部７ｂの内奥部には、図４、図５に示すようにハートカム２１を含むカム機構が設けられている。なお、図４、図５では、カム機構とガイドピン１１との関連を示すために板バネ１３の図示を省略している。
【００２６】
前記ハウジング３には、バルブ用ソケット２３、不図示の電線を圧接させるための接続端子２５が設けられている。また、スイッチノブ７の頂部には、不図示のキャップが被せられ、操作性及び美観を向上させるようになっている。
【００２７】
前記各部材を組み付けることにより、図２及び図３に示すようなプッシュスイッチ１が構成される。
以下に、前記プッシュスイッチ１の作用を説明する。スイッチオフ状態時にはハートカム２１が図４に示すように位置決めされ、ガイドピン１１の摺動側端部１１ａはカム溝２１ａの下端側に位置決めされる。なお、ガイドピン１１の固定側端部１１ｂは、図６に実線で示すようにベースハウジング９の上部に位置決めされる。
【００２８】
次に、スイッチノブ７を手指等により下方に押動すると、カム機構によりガイドピン１１が図４、図５で反時計方向に回動し、ガイドピン１１の摺動側端部１１ａがカム溝２１ａからハートカム２１のカム溝２１ｂに入り込み、スイッチノブ７がスイッチオン状態にロックされる。この状態で前記組み付けが正常であれば、パイロットランプ等が点灯する。
【００２９】
一方、プッシュスイッチ１を使用中に不測の事態によりプッシュスイッチ１が異常な高温になった場合は、下記のような作用が行われる。
即ち、プッシュスイッチ１が異常な高温、例えば支持壁１７ａ，１７ｂを構成する材料のガラス転位温度程度に上昇すると、図６及び図７に示すように薄肉に形成されていた支持壁１７ａ，１７ｂの基部Ｘが溶融し、支持壁１７ａ，１７ｂが倒れるように変形することで板バネ１３を支えていた力が解除されるので、支持壁１７ａ，１７ｂ、板バネ１３、ガイドピン１１が想像線で示すようにハウジング３外に倒れ出る。
【００３０】
この結果、ガイドピン１１とカム溝２１ｂとによるスイッチノブ７のスイッチオン状態でのロックが解除され、スイッチノブ７がノブ用コイルバネ１５の反発力によって上方に押し上げられ、スイッチオフ状態になる。
【００３１】
以上の如く、本実施形態におけるプッシュスイッチ１は、異常な温度を検知してスイッチノブ７のスイッチオン状態のロック解除を行うことができ、ハウジング３等の樹脂部材の溶融や発火等の事故を防止できる。
更に、各部材の組み付け不良も検知でき、不良品の検査漏れを防止できる。
【００３２】
なお、本発明は前述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００３３】
例えば、実施形態において、支持壁の厚さはガラス転位温度程度で溶融するように設定されているが、安全性向上のため更に低温で溶融するようにしてもよい。
【符号の説明】
【００３４】
１  プッシュスイッチ
３  ハウジング
５  案内筒体
７  スイッチノブ
９  ベースハウジング
１１  ガイドピン
１３  板バネ
１５  ノブ用コイルバネ
１９  山型の係止部
２１  ハートカム
２１ａ，２１ｂ  カム溝
２３  バルブ用ソケット
【図１】
2010262822.tif 000003
【図２】
2010262822.tif 000004
【図３】
2010262822.tif 000005
【図４】
2010262822.tif 000006
【図５】
2010262822.tif 000007
【図６】
2010262822.tif 000008
【図７】
2010262822.tif 000009
【図８】
2010262822.tif 000010
【図９】
2010262822.tif 000011